(57)【要約】【課題】  アナログ、デジタル両方の放送を受信する録画装置において、同時に同一内容の放送番組を受信できる場合に、より簡易な構成でデジタル放送を選択して録画する。【解決手段】  ＤＶＤレコーダ１は、受信部２、符号化部３、記録／読取部４、信号処理部５、出力部６、操作部８、制御部９を備える。制御部９は、処理９１〜９６を行う。受信部２１は、アナログ、デジタル両方の放送を受信し、フレームをそれぞれバッファに格納する。符号化部３は、読み出し制御部、エンコーダを備える。読取制御部は、バッファからの読み取りタイミングを制御する。エンコーダは、時系列に並んだ差分画像を出力する構成を備える。制御部９が判定処理９６を行うと、読取制御部は、アナログ、デジタルの映像信号を交互に読み出して、エンコーダに出力し、制御部９は、エンコーダが出力する差分画像から、アナログ、デジタル放送が同一内容かを判断する。  【選択図】図１
2009159270.tif 000002
【特許請求の範囲】
【請求項１】
アナログ放送、デジタル放送の両方を受信する受信部と、
映像信号の各画像の差分を算出して圧縮エンコードするエンコーダと、
前記エンコーダの出力を記録する録画部と、を備えた録画装置において、
前記受信部が受信したアナログ放送、デジタル放送の画像を前記エンコーダに交互に入力する入力制御手段と、
前記入力制御手段により交互に入力した画像について、前記エンコーダが算出した画像の差分に基づいて、前記アナログ放送、デジタル放送の内容の同一性を判断する判断手段と、を備え、
前記判断手段が、両放送内容が同一と判断すると、前記入力制御手段は、デジタル放送の映像信号を前記エンコーダに入力する録画装置。
【請求項２】
デジタル放送局とアナログ放送局とを対照させた放送局対照テーブルを記憶するメモリを備え、
前記判断手段は、前記受信部を用いて、前記放送局対照テーブルに記述されたデジタル放送局のサブチャンネルを各々入力し、放送内容が一致するものがあるか検索する請求項１に記載の録画装置。
【請求項３】
前記判断手段が、前記差分出力が同じと判断した場合、音声または画面表示により通知する通知手段を備えた請求項１〜２のいずれかに記載の録画装置。
【発明の詳細な説明】
【技術分野】
【０００１】
本発明は、アナログ放送、デジタル放送を両方受信する構成を備えた録画装置に関する。
【背景技術】
【０００２】
従来、アナログ放送、デジタル放送を両方受信できる場合に、同時に同一内容の放送番組がデジタル、アナログ両方で放送されているときは、デジタル放送を受信する装置が開示されている（特許文献１〜３）。特許文献１、２では、マイコンがこれらの映像信号のフレームの差分画像を判断する。特許文献３では、ＥＰＧデータ（電子番組表、Electronic Program Guide）に基づいてこれらの番組の一致を判断する。
【特許文献１】特開２００４−２９７８１９公報
【特許文献２】特開２００２−１１２１３１公報
【特許文献３】特開２００４−１７９７１８公報
【発明の開示】
【発明が解決しようとする課題】
【０００３】
しかしながら、特許文献１、２の方法では、差分画像のデータをの比較をマイコンが行っており、そのハードウェア処理に負担がかかったり、プログラムを改めて書き起こす手間が必要であったりする問題があった。特許文献３の方法では、放送番組、地域、国によって、比較に必要な情報が取れない場合があった。
【０００４】
そこで、本発明は、アナログ、デジタル両方の放送を受信する録画装置において、同時に同一内容の放送番組を受信できる場合に、より簡易な構成でデジタル放送を選択して録画することを目的とする。
【課題を解決するための手段】
【０００５】
上記課題を解決するために、以下の構成を備えることができる。
【０００６】
（１）  アナログ放送、デジタル放送の両方を受信する受信部と、
映像信号の各画像の差分を算出して圧縮エンコードするエンコーダと、
前記エンコーダの出力を記録する録画部と、を備えた録画装置において、
前記受信部が受信したアナログ放送、デジタル放送の画像を前記エンコーダに交互に入力する入力制御手段と、
前記入力制御手段により交互に入力した画像について、前記エンコーダが算出した画像の差分に基づいて、前記アナログ放送、デジタル放送の内容の同一性を判断する判断手段と、を備え、
前記判断手段が、両放送内容が同一と判断すると、前記入力制御手段は、デジタル放送の映像信号を前記エンコーダに入力する。
【０００７】
圧縮エンコードするエンコーダには、時系列に並んだ画像を比較する機能を備えている。この構成では、これを利用できるよう、交互に入力して時系列に並べて比較するの、アナログ放送、デジタル放送の同一性を判断する判断手段を簡易に構成できる。したがって、ハードウェアの処理の負担が少なくすることが出来ると共に、差分出力を計算するのにプログラムを改めて書き起こす手間が軽減できるから、より簡易な構成でデジタル放送を選択して録画することができる。
なお、「両方受信する」とは、本発明がデジタル放送の受信部（Ａとする）、アナログ放送の受信部（Ｂとする）を両方備えていれば良く、信号系統が同一である必要もなく、さらには、実装上、同一ブロックの構成であることも要しない。これらの受信部Ａ，Ｂを合わせたものが本発明の受信部に相当する。
【０００８】
（２）  デジタル放送局とアナログ放送局との対照テーブルを記憶するメモリを備え、
前記判断手段は、前記受信部を用いて、前記対照テーブルに記述されたデジタル放送局のサブチャンネルを各々入力し、放送内容が一致するものがあるか検索する。
【０００９】
デジタル放送には、１つの放送局が送信する物理チャンネルに、複数のサブチャンネルの放送を含んでいることがある。そこで、この構成では、対照テーブルに記述されたデジタル放送局のサブチャンネルを入力するので、放送内容が一致するものがあるか検索することができる。
【００１０】
（３）前記判断手段が、前記差分出力が同じと判断した場合、音声または画面表示により通知する通知手段を備えた。
【００１１】
この構成では、ユーザに通知するので、ユーザがアナログ放送を録画しようとしていたときに、ユーザの使い勝手を向上させることが出来る。
【発明の効果】
【００１２】
本発明によれば、アナログ、デジタル両方の放送を受信する録画装置において、同時に同一内容の放送番組を受信できる場合に、より簡易な構成でデジタル放送を選択して録画することができる。
【発明を実施するための最良の形態】
【００１３】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている映像ファイルの再生を行う。
【００１４】
ＤＶＤレコーダ１は、受信部２、符号化部３、記録／読取部４、信号処理部５、出力部６、操作部８、制御部９を備える。
【００１５】
受信部２は、アンテナ１００を介して、デジタル形式の放送信号を受信して、映像信号、音声信号、文字情報を抽出する。符号化部３は、受信部２で入力したアナログ形式の映像信号および音声信号をデジタル信号に変換して、これらをエンコードする。符号化部３は、このエンコードしたデータを記録／読取部４に出力する。受信部２、符号化部３の詳細は後述する。
【００１６】
記録／読取部４は、記録媒体の１種である光ディスクドライブ４１と、ハードディスク４２（ＨＤ４２と略す）と、ハードディスクドライブ４３（ＨＤＤ４３と略す）を備える。ドライブ４１は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、ドライブ４１は、ＤＶＤ１０の読出・記録をする。ＨＤ４２は、記録媒体の１種である。ＨＤＤ４３は、ＨＤ４２に記録し、記録したデータを読み出す。このような構成により、記録／読取部４は、符号化部３でエンコードされた映像信号、音声信号をＤＶＤ１０またはＨＤ４２に記録する。
【００１７】
また、以下では、映像信号、音声信号の記録媒体への記録を録画という。
【００１８】
信号処理部５は、８／１６復調部、ＭＰＥＧデコーダ、ＯＳＤ合成部を備えている。８／１６復調部は、記録／読取部４が読み取ったＲＦ信号について８／１６復調等を行い、誤り訂正を行って映像データと音声データを抽出する。ＭＰＥＧデコーダは、映像データと音声データを伸張する。
【００１９】
ＯＳＤ合成部は、制御部９が発行するコマンドに基づいて、文字、キャラクタ等のＯＳＤ（On-Screen Display）を合成する。ＯＳＤ合成部は、内部に種々の画像データを記憶している。例えば、種々の文字列を表示するための文字、図形、初期設定処理９５で表示するユーザインターフェースの画像などを記憶している。これらの枠画像と、文字、図形を合成してＯＳＤを出力する。デコーダから映像信号が出力されている場合には、ＯＳＤ合成部は、この映像信号とＯＳＤを合成し、出力部６に出力する。場合によっては、ＯＳＤ合成部は、映像信号の出力を禁止して、ＯＳＤのみを出力してもよい。
【００２０】
出力部６は、Ｄ/Ａ変換器等を備え、信号処理部５で処理された映像信号、音声信号をＤ/Ａ変換し、表示器１１、スピーカ１２に出力する。
【００２１】
操作部８は、装置本体に対する操作を指示する入力を受け付ける。操作部８は、複数の操作キーや、リモコン装置（不図示）から送信されてきた装置本体に対する制御コードを受信するリモコン受信部を有している。操作部８は、ユーザにより操作された操作キーに応じた入力を受け付け、これらに対応したコードや、リモコン受信部で受信した制御コードを制御部９に伝達する。例えば操作部８は、録画の指示や、録画予約を受け付ける。
【００２２】
制御部９は、マイコンまたはこれを含むシステムＩＣで構成する。制御部９は、ＲＯＭ（フラッシュメモリでも良い。）、ＣＰＵ、ＲＡＭを備える。制御部９は、操作部８で受け付けた入力に基づいて、以上で示した装置のうち２〜８の各部の動作を制御する。また、制御部９のＲＯＭは、録画予約処理９１、録画処理９２、初期設定処理９５、判定処理９６を実行するためのサブルーチンを記憶している。また、フラッシュメモリ９９が制御部９の外部に接続されており、これには、ＤＶＤレコーダ１の状態や、各種初期設定の情報が記録されている。
【００２３】
録画予約処理９１では、制御部９は、録画予約の項目の選択を受け付ける。制御部９は、予め所定のキー操作を受け付けた場合に、処理９１を実行する。処理９１では、ユーザから録画予定時間Ｔ［Ｈ］、録画予定時刻、録画するテレビのチャンネル番号、曜日または日付、録画する記録媒体の指定を受け付ける。また、画質を指定するための録画モードの選択を受け付けてもよい。
【００２４】
録画処理９２では、制御部９は、録画動作の開始、停止等の制御を行う。処理９２は、操作部８がリモコンから録画ボタンの操作を受けた場合に実行される。また、録画処理９２では、録画予約処理９１で設定した録画予約のデータに基づいて、放送番組の録画を開始する。また、録画処理９２では、録画開始の前提として、判定処理９６を呼び出して実行する。
【００２５】
初期設定処理９５は、ユーザがＤＶＤレコーダ１を購入したときなどに、操作部８から指示を受けて、制御部９が各種の設定を受け付ける処理である。この処理では、ＧＵＩ（Graphical User Interface）により、地域情報の入力を受け付けて、自動的にチャンネル設定を行う。この設定では、制御部９が、アナログ放送、デジタル放送の放送局を相互に対照させた放送局対照テーブルをフラッシュメモリ９９に記録する。このテーブルは、アナログ放送局と、デジタル放送局との間で共通する放送局を相互参照できるように記述された一群のデータである。また、このチャンネル設定時には、制御部９は、仮想チャンネルと物理チャンネルを対照させたチャンネルテーブルを受信部２に出力する。受信部２の受信制御部は、このテーブルを内部のフラッシュメモリに記録する。これらの設定を行うために、フラッシュメモリ９９は、工場出荷時に、放送局対照テーブル、チャンネルテーブルを地域ごとに記憶している。ユーザから地域の指定を受けると、メモリ９９は、地域設定に対応したチャンネルテーブルを記憶する。なお、別のチャンネル設定方法としては、地域設定のコードのみを記憶してもよい。この場合には、選局部２１、２５は、選局時に、このコードに対応するチャンネルテーブルを参照する。
【００２６】
判定処理９６では、録画予約処理９１で指示された番組がアナログ放送の場合、アナログ放送と同一内容の放送番組のデジタル放送を受信できるか判断する。そのために、同一放送局のデジタル放送のサブチャンネルを検索する。このとき、処理９５で設定した放送局対照テーブル、チャンネルテーブルを参照する。この検索により、同一内容の放送がデジタル放送、アナログ放送の両方を受信できると判断すると、制御部９は、録画処理９２を実行することにより、デジタル放送を選択して録画する。
【００２７】
また、ＤＶＤレコーダ１には、表示器１０１とスピーカ１０２が接続されている。表示器１０１は、出力部６から出力された映像信号に基づいて映像を表示する。スピーカ１０２は、出力部６から出力された音声信号を増幅して音声を放出する。例えば、液晶モニタ、プラズマモニタ、ＥＬモニタ、ブラウン管、プロジェクタなどで構成する。
【００２８】
次に、図２を用いて、受信部２、符号化部３について詳しく説明する。図２は、判定処理９６で用いる構成の例を示している。受信部２は、デジタル放送の映像信号を出力するために、デジタル放送選局部２１、地上デジタルモジュール２２、デコーダ２３を備える。また、受信部２は、アナログ放送の映像信号をデジタル形式で出力するために、アナログ放送選局部２５、映像受信部２６、色信号再生部２７、Ａ/Ｄ変換器２８を備える。また、２１〜２８を制御する受信制御部２９を備える。
【００２９】
デジタル放送選局部２１は、チューナパック、地上デジタルモジュール、ＯＦＤＭ復調回路、誤り訂正回路を備え、所定の物理チャンネルの周波数帯域を増幅し、ＴＳ（Transport Stream）を出力する。チューナパックは、ＩＦフィルタ、ＩＦアンプ等を備えている。受信制御部２９は、初期設定処理９５により、チャンネルテーブルを内部のフラッシュメモリ（不図示）に記憶している。
【００３０】
ＩＦフィルタ（intermediatefrequency）は受信制御部２９から指示された所定の物理チャンネルの信号を通す。ＩＦアンプは、この信号を増幅する。これにより、デジタル放送選局部２１は、受信制御部２９により指定されたチャンネルの放送信号を抽出する。また、ＯＦＤＭ復調回路は、入力された放送信号をデジタルデータであるＴＳ（トランスポートストリーム）にＯＦＤＭ復調（Orthogonal Frequency Division Multiplexing）し、誤り訂正回路に出力する。誤り訂正回路は入力されたＴＳ（トランスポートストリーム）の誤り情報を訂正して、地上デジタルモジュールに出力する。
【００３１】
地上デジタルモジュール２２は、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。これらのパケットは、圧縮したデジタル映像信号で構成されている。
【００３２】
デコーダ２３は、モジュール２２内部のバッファメモリから映像信号のパケットを取り出して、ＭＰＥＧ形式の映像信号をデコードする。
【００３３】
アナログ放送選局部２５は、中間周波数を抽出するフィルタと、この中間周波数帯域を増幅する中間周波数増幅部を備え、所定の物理チャンネルの帯域の放送信号を増幅する。映像受信部２６は、映像帯域の周波数を増幅し、映像信号を抽出する。
【００３４】
色信号再生部２７は、色信号再生部、同期検出回路を備える。色信号再生部は、カラー映像信号から色信号を取り出し、ＲＧＢの３原色信号を生成する。同期検出回路は、カラー映像信号から水平同期信号、垂直同期信号を取り出す。Ａ/Ｄ変換器２８は、３原色信号をＡ／Ｄ変換する。
【００３５】
符号化部３は、第１バッファ３１、第２バッファ３２、読み取り制御部３３、クロック３４、エンコーダ３５、比較判定部３７を備える。第１バッファ３１、第２バッファ３２は、フレームバッファである。第１バッファ３１は、デコードされた映像信号を一時的に記憶する。第２バッファ３２は、Ａ/Ｄ変換器２８によりＡ/Ｄ変換された映像信号を記憶する。
【００３６】
読み取り制御部３３は、本発明の入力制御部に対応する。読み取り制御部３３は、バッファ３１、３２の読み出しタイミングを制御して、エンコーダ３５へのデータの入力を制御する。クロック３４は、画像を一定間隔で更新するためのクロックを出力する。
【００３７】
読み取り制御部３３は、デジタル放送を記録するときは、第１バッファ３１の映像信号をエンコーダ３５に入力し、第２バッファ３２の出力を停止する。アナログ放送を記録するときは、第２バッファ３２の映像信号をエンコーダ３５へ出力し、第１バッファ３１の出力を停止する。また、制御部９が判定処理９６を実行するときは、読み取り制御部３３は、クロック３４に合わせて、バッファ３１、３２の出力を交互にエンコーダ３５に入力する。
【００３８】
エンコーダ３５は入力された映像信号をエンコードして、画像容量を圧縮する。例えば、ＭＰＥＧ形式等にエンコードする。エンコーダ３５は、映像信号に含まれる各時間のフレーム（各時間の静止画像）の差分を算出して、これに基づいて画像容量を圧縮する。
【００３９】
なお、このフレームの差分を、以下では、「差分画像」と称する。これは、本発明の「画像の差分」に相当する。
【００４０】
判定処理９６を実行するときは、エンコーダ３５は、比較判定部３７に差分画像３６を出力する。エンコーダ３５は、圧縮を行うために、時系列に入力された映像信号の画像の変化を比較するハードウェアまたはソフトウェアが組み込まれている。そこで、読み取り制御部３３がバッファ３１、３２の入力を交互にエンコーダ３５に入力することにより、容易に、デジタル放送とアナログ放送の差分画像を出力できる。比較判定部３７は、この差分画像を所定時間計測し、実質同じであるかどうか判断する。具体的には、差分画像のビットの和または二乗和が、予め定めた閾値内かどうか判断することにより、これらの画像が同じか判断する。これにより、両放送番組の内容が同じかどうかを判断する。
【００４１】
次に図３のフロー図を用いて、判定処理９６について説明する。ＳＴ１で、制御部９は、メモリ９９内の放送局対照テーブルを参照する。録画予約処理９１で指示された録画予定のチャンネルに基づいて、同一の放送局のアナログ放送、デジタル放送の仮想チャンネルを取得する。
【００４２】
ＳＴ２で、制御部９は、受信部２に仮想チャンネルを指示する。受信部２内部のチューナ制御部は、受信部２内部のチャンネルテーブルに基づいて、物理チャンネルを各々の選局部２１、２５に指示する。
【００４３】
ＳＴ３〜ＳＴ５のステップは、ＳＴ５の条件を満たさない限り繰り返される。この繰り返しを、デジタル放送物理チャンネルに含まれるサブチャンネルそれぞれについて行う。ＳＴ３では、地上デジタルモジュール２２が、デジタル放送物理チャンネルに含まれるサブチャンネルの１つを選択して、そのパケットを取り出す。デコーダ２３は、これを伸張し、フレームを第１バッファ３１に記憶させる。符号化部３の読み取り制御部３３は、第１バッファ３１、第２バッファ３２を交互に読み出して、エンコーダ３５に入力する。エンコーダ３５は、これらのフレームの差分画像３６を比較判定部３７に出力する。比較判定部３７は、差分画像３６を一定期間監視する。比較判定部３７の差分画像に基づいて、デジタル放送、アナログ放送の内容の一致を確認する。例えば、上述のとおり、差分画像のビットの和または２乗和等が、予め定めた閾値以内であるか判断する。
【００４４】
ＳＴ５で、比較判定部３７が、両放送内容が同一であると判断し、その情報を制御部９に返すと（ＳＴ５のＹＥＳ）、ＳＴ６に移動する。ＳＴ６では、読み取り制御部３３は、デジタル放送を選択して、エンコーダ３５に入力する。その後、制御部９の処理は録画処理９２に戻り、符号化部３は、デジタル放送を録画する。ＳＴ５で、異なる放送番組と判断すると（ＳＴ５のＮＯ）、ＳＴ３に戻り、別のサブチャンネルを選択して、ＳＴ３〜ＳＴ５を行う。すべてのサブチャンネルについて、放送の内容の一致を確認して、一致するものがなければ、アナログ放送を録画する（ＳＴ７）。
【００４５】
なお、以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。例えば、以上で説明した制御部９の処理をすべて受信部２が行って、制御部９は、仮想チャンネルの指示だけを行ってもよい。また、以上で示した第１バッファ３１、第２バッファ３２、フラッシュメモリ、受信部２のフレームメモリ、その他のメモリは共用でもよいし、その一部が一体でもよい。これらのメモリについては、制御部９、受信部２の制御部が制御情報、データを記憶でき、これらの情報等にアクセスできればよく、実装上の形態は問わない。また、フラッシュメモリ９９は、必ずしも制御部９の外部でなくてもよく、制御部９を実装するチップ内部に設けてもよい。制御部９がアクセスできればよい。また、信号処理部５のＭＰＥＧデコーダと、デコーダ２３と共通にしても良い。
【００４６】
また、デジタル放送、アナログ放送で同一の番組がある場合には、録画する際に、ユーザに通知してもよい。この場合には、スピーカ１０２に音声を放音してもよいし、表示器１０１にその旨を表示してもよい。また、録画をしていない状態で、アナログ放送を受信して表示器１０１に表示している場合に、このような通知をしてもよい。
【００４７】
以上では、判定処理９６は、アナログ形式、デジタル形式の同一内容の放送番組を検出して、デジタル放送を録画するとした。しかし、デジタル放送の録画の指示を受けた場合に、判定処理９６を実行して、デジタル放送と同一内容のアナログ放送を録画してもよい。
【００４８】
図２では、デコーダ２３でＭＰＥＧ形式の映像信号をデコードし、エンコーダ３５でエンコードし直しているが、判定処理９６の後は、記録／読取部４は、そのままこのＭＰＥＧ形式の映像信号を記録してもよい。
【００４９】
また、以上の実施形態では、バッファ３１、３２の出力をそのままエンコーダ３５へ入力している。しかし、通常の録画処理９２を実行するときには、信号処理部５で、バッファ３１、３２の出力に対し、アスペクト比、解像度の調整を行って、画像の縦横のビット数をそろえて、エンコーダ３５に出力してもよい。また、判定処理９６を実行するときも、信号処理部５で、バッファ３１、３２の出力を周波数や画素数を合わせるようそれぞれ信号処理して、エンコーダ３５に出力してもよい。
【００５０】
信号処理部５のＭＰＥＧデコーダの代わりに、ＭＰＥＧ形式以外の映像信号をデコードするデコーダを備えても良い。
【００５１】
以上の説明では、選局部２１、２５がチャンネルを選局するために、受信部２がチャンネルテーブルを記憶するとした。チャンネル選局をするための他の方法としては、受信部２が各地域のチャンネルテーブルを記憶して、初期設定時に制御部９が地域情報を受信部２に設定してもよい。この方法では、選局時には、受信部２が、指定された地域情報を参照して、その地域に対応するチャンネルテーブルを参照する。また、別の選局方法としては、制御部９が物理チャンネルを受信部２に指定してもよい。
【００５２】
以上では、受信部２は、アンテナから電波形式の放送信号を入力したが、有線から放送信号を入力しても良い。
【００５３】
以上では、制御部９は、録画予約処理９１を実行するプログラムを備えるとしたが、本発明の実施形態としては、必須ではない。録画時にデジタル形式、アナログ形式の同一番組を検索して、高画質の方を選択して録画できればよく、必ずしも、番組を予約しておく必要はない。
【００５４】
本実施形態に用いる記録媒体は、映像信号、音声信号を記録できればよく、光ディスクのほかフラッシュメモリ等の持ち運びできるもののみならず、据付で使用するものでもよい。また、１種類以上の記録媒体を記録・読み出しできればよい。
【図面の簡単な説明】
【００５５】
【図１】本実施形態のＤＶＤレコーダの概略構成を表わしている。
【図２】本実施形態の入力部、符号化部の構成例を表わしている。
【図３】本実施形態の判定処理を表わすフロー図である。
【符号の説明】
【００５６】
１−ＤＶＤレコーダ、  ２−受信部、  ２１−デジタル放送選局部、
２２−地上デジタルモジュール、  ２３−デコーダ、
２５−アナログ放送選局部、  ２６−映像受信部、
２７−色信号再生部、  ２８−Ａ/Ｄ変換器、  ２９−受信制御部、
３−符号化部、  ３１−第１バッファ、  ３２−第２バッファ、
３３−読み取り制御部、  ３４−クロック、  ３５−エンコーダ、
３６−差分画像、  ３７−比較判定部、
４−記録／読取部、  ４１−光ディスクドライブ、
４２−ハードディスク（ＨＤ）、  ４３−ハードディスクドライブ（ＨＤＤ）、
５−信号処理部、  ６−出力部、  ８−操作部、
９−制御部、  ９１−録画予約処理、  ９２−録画処理、
９５−初期設定処理、  ９６−判定処理、
１０−ＤＶＤ、  １０１−表示器、  １０２−スピーカ、
【図１】
2009159270.tif 000003
【図２】
2009159270.tif 000004
【図３】
2009159270.tif 000005